(57)【特許請求の範囲】
【請求項１】
粉末消火薬剤が充填された本体容器の内部に、粉末消火薬剤を放射する圧力源である加圧用ガス容器と、粉末消火薬剤を消火器ホースへ放出する消火薬剤放出管とが収納され、この消火薬剤放出管の下端部の外周に、加圧ガスにより本体容器内が加圧されたときに該本体容器の内圧で破れる封板を内蔵した封板取付具が取外し可能にはめ込み装着されている加圧式粉末消火器において、
前記消火薬剤放出管の下端部の外面に、前記封板取付具の正規のはめ込み深さ位置を指示するはめ込み深さ表示部が設けられており、
この正規のはめ込み深さ表示部の位置は、この位置まで前記封板取付具の上端面をはめ込んだときに前記本体容器の内底から前記封板取付具の最下端までの高さを確保して粉末消火薬剤の放射時における前記消火薬剤放出管への粉末消火薬剤の流動を確保するとともに放射終了後における粉末消火薬剤の残存量を少なくするための位置に設定されており、
前記封板取付具の上端面が前記はめ込み深さ表示部の位置まではめ込まれて装着されていることを特徴とする加圧式粉末消火器。
【請求項２】
前記封板取付具に黒色以外の色彩が施されている請求項１記載の加圧式粉末消火器。
【請求項３】
前記封板取付具に社名、記号等の識別表示を施している請求項１記載の加圧式粉末消火器。
【請求項４】
前記封板取付具は筒状に形成し、上端面に前記消火薬剤放出管の下端部がはめ込まれる所定深さのはめ込み口を開口するとともに、下端面に消火薬剤導入口が前記はめ込み口の内周面下端から径方向内方に張出された環状突壁を介して前記はめ込み口と連通するよう開口し、該消火薬剤導入口は前記封板で塞いでおり、前記環状突壁の上端面には前記消火薬剤放出管の最下端を受止める段部を形成し、該環状突壁の内周面下端と前記消火薬剤導入口の内周面上端とを上方狭まり斜面壁でつないだ形に形成している請求項１ないし３のいずれかに記載の加圧式粉末消火器。
【請求項５】
前記封板取付具の最下端が本体容器の内底から５〜１０ｍｍの高さに設定されている請求項１ないし４のいずれかに記載の加圧式粉末消火器。
【発明の詳細な説明】
【０００１】
【発明の属する技術分野】
本発明は加圧式粉末消火器に係り、より詳しくは本体容器内の消火薬剤放出管に対する封板取付具のはめ込み手段の改良に関する。
【０００２】
【従来の技術】
加圧式粉末消火器は、粉末消火薬剤が充填された本体容器の内部に、粉末消火薬剤を放射する圧力源である加圧用ガス容器と、粉末消火薬剤を消火器ホースへ放出する消火薬剤放出管（サイホン管）を収納している。消火薬剤放出管の下端部には、加圧ガスにより本体容器内が加圧されたときに該本体容器の内圧で破れる薄い封板を内蔵した封板取付具が取外し可能にはめ込み装着されている。封板取付具の装着目的は、主として、湿気が消火器ホース先端のノズルから消火薬剤放出管の内部にまで侵入し、本体容器内の粉末消火薬剤が固まるのを防止するためであり、そのほかに、不使用時に本体容器内の粉末消火薬剤が消火薬剤放出管の下端部内に入り込んで消火薬剤放出管内が固まり詰まってしまう弊害を予防するためである。
この封板取付具は消火器を製造組立てる時に消火薬剤放出管へはめ込み装着される以外に、消火器が一度使用された後に粉末消火薬剤を再充填する時や定期的な点検整備時にその取替えが行われる。
【０００３】
【発明が解決しようとする課題】
ところで、上記封板取付具の最下端は本体容器の内底と適度の距離（高さ）をおいて収納配備されることが、消火薬剤放出管への粉末消火薬剤の円滑な流動を確保し、また放射終了後の粉末消火薬剤の残存量をできる限り少なくするうえで肝要なことである。封板取付具の最下端と本体容器の内底との間の距離が短すぎると消火薬剤放出管への粉末消火薬剤の流動が困難になり、また長すぎると放射終了後に粉末消火薬剤が本体容器の内底に残存し、放射効率が下がるという問題が発生する。
【０００４】
しかるに、上記消火薬剤放出管の下端部への封板取付具のはめ込み作業は、封板取付具が消火薬剤放出管の下端部の外周に所定深さにまで完全にはまり込むように手加減しながら行われるため、封板取付具のはめ込み不足が生じることがある。この場合、封板取付具の最下端と本体容器の内底との間の距離が短くなるため、粉末消火薬剤が消火薬剤放出管に流れ込みにくくなる。
とくに問題となるのは、粉末消火薬剤を再充填する時や定期的な点検整備時には、加圧式粉末消火器の製造業者とは異なる他の業者によって、既設の封板取付具とは異なる他種の封板取付具と取り替えられる場合である。この場合、封板取付具のメーカーによりその長さがまちまちであるため、前記距離が長くなったり、短くなったりし、とくに封板取付具のはめ込み量が不足したり、当初既設されている封板取付具よりも長いものと取り替えられた場合、封板取付具の最下端が本体容器の内底につかえて粉末消火が放射不能になるという最悪な事態が発生する。
【０００５】
本発明の目的は、このような問題を解決するためになされたもので、封板取付具の完全なはめ込みを確保でき、また既設の封板取付具とは異なる不適切な封板取付具の装着防止を図れる加圧式粉末消火器を提供することにある。
【０００６】
【課題を解決するための手段】
本発明は、粉末消火薬剤が充填された本体容器の内部に、粉末消火薬剤を放射する圧力源である加圧用ガス容器と、粉末消火薬剤を消火器ホースへ放出する消火薬剤放出管とが収納され、この消火薬剤放出管の下端部の外周に、加圧ガスにより本体容器内が加圧されたときに該本体容器の内圧で破れる封板を内蔵した封板取付具が取外し可能にはめ込み装着されている加圧式粉末消火器において、
前記消火薬剤放出管の下端部の外面に、前記封板取付具の正規のはめ込み深さ位置を指示するはめ込み深さ表示部が設けられており、
この正規のはめ込み深さ表示部の位置は、この位置まで前記封板取付具の上端面をはめ込んだときに前記本体容器の内底から前記封板取付具の最下端までの高さを確保して粉末消火薬剤の放射時における前記消火薬剤放出管への粉末消火薬剤の流動を確保するとともに放射終了後における粉末消火薬剤の残存量を少なくするための位置に設定されており、
前記封板取付具の上端面が前記はめ込み深さ表示部の位置まではめ込まれて装着されていることに特徴を有するものである。
【０００７】
この場合において、前記封板取付具に黒色以外の色彩を施すか、社名、記号等の識別表示を施すことができる。
また、前記封板取付具は筒状に形成し、上端面に前記消火薬剤放出管の下端部がはめ込まれる所定深さのはめ込み口を開口するとともに、下端面に消火薬剤導入口を前記はめ込み口の内周面下端から径方向内方に張出された環状突壁を介して前記はめ込み口と連通状に開口し、該消火薬剤導入口は前記封板で塞いでおり、前記環状突壁の上端面には前記消火薬剤放出管の最下端を受止める段部を形成し、該環状突壁の内周面下端と前記消火薬剤導入口の内周面上端とを上方狭まり斜面壁でつないだ形に形成することができる。
【０００８】
【作用】
上記構成の加圧式粉末消火器によれば、消火薬剤放出管の下端部の外面に、封板取付具の正規のはめ込み深さ位置を指示するはめ込み深さ表示部を設けているため、封板取付具のはめ込みに際し正規なはめ込み深さ位置にまでのはめ込みを促すことができ、また封板取付具が所定深さ位置にまで完全にはめ込まれているか否かの確認も容易である。
【０００９】
通常の封板取付具はゴム製で黒色であるため、この黒色とは異なる色彩を施しておくと、本消火器に適合する封板取付具とは異種のものとの識別が可能となり、これにより本消火器に適合する封板取付具を一目で選びやすくなり、点検整備者らにより既設の封板取付具とは異なる他種の封板取付具と取替えられるのを予防できる。したがって、他種の封板取付具を使用して取り替えられることによる不測の事態、すなわち消火薬剤の放射不能や放射終了後の薬剤残存量の増大による放射効率の低下を招くのを予防できる。封板取付具に社名、記号等の識別表示を施している場合も同様の作用を発揮できる。
【００１０】
【発明の実施の形態】
本発明の好ましい実施例を図面に基づき説明する。図１は加圧式粉末消火器の縦断正面図、図２は消火薬剤放出管の下端部に封板取付具をはめ込む前の状態を示す正面図、図３は消火薬剤放出管の下端部に封板取付具をはめ込んだ状態を示す断面図である。
【００１１】
図１において、加圧式粉末消火器の全体的な構成は従来の標準タイプのものと同じである。すなわち、加圧式粉末消火器は粉末消火薬剤Ａが充填される本体容器１、本体容器１の上部に取り付けたバルブ２、バルブ２に接続された消火器ホース３、消火器ホース３の先端に付けているノズル４、本体容器１内に収納され粉末消火薬剤Ａを放射する圧力源である加圧用ガス容器５、加圧用ガス容器５を開き操作する固定レバー６及び可動レバー７、加圧用ガス容器５の作動により生じる加圧ガスを本体容器１内に導入するガス導入管８、粉末消火薬剤Ａを消火器ホース３へ放出する消火薬剤放出管（サイホン管）９、および固定・可動レバー６・７に備えた安全栓１０などから構成されている。
【００１２】
図１に示すように、本体容器１内において、上記ガス導入管８はこれの上端の加圧ガス導入口部がバルブ２を介して加圧用ガス容器５に接続され、かつ下端部の周壁に敵数個のガス放出孔１１が開口され、このガス放出孔１１を有する下端部にゴム製のピール管１２がガス放出孔１１の外側を覆うように外嵌されている。ピール管１２の中央付近はガス導入管８に対して止め輪１３でかしめている。このピール管１２は、粉末消火薬剤Ａがガス放出孔１１に侵入するのを防ぐとともに、ガス導入管８の上端の加圧ガス導入口部から送られてくる加圧ガスを、ピール管１２の中央付近の止め輪１３を境に上下二方向へガス放出孔１１を介して噴出するよう方向付けるものである。その噴出力により、本体容器１内の粉末消火薬剤Ａが効果的にほぐされ、流動し易い状態となる。
【００１３】
一方、消火薬剤放出管９はこれの上端の消火薬剤放出口部がバルブ２内に固定されて消火器ホース３に接続され、その下端部の外周には封板１４を内蔵した封板取付具１５が封板１４で消火薬剤放出管９の下端部を封口するよう取外し可能にはめ込み装着されている。消火薬剤放出管９への粉末消火薬剤Ａの円滑な流動を確保し、また放射終了後における本体容器１の内底１ａへの粉末消火薬剤Ａの残存量をできる限り少なくして放射効率を上げるために、封板取付具１５の最下端１５ａは本体容器１の内底１ａから５〜１０ｍｍの高さｈに位置設定している。
【００１４】
使用時には、安全栓１０を引抜き、固定レバー６及び可動レバー７を握り操作して加圧用ガス容器５を開き作動すると、加圧ガスがガス導入管８を介して本体容器１内に導入し、本体容器１内を加圧するとともに粉末消火薬剤Ａを撹拌する。本体容器１の内圧が一定の圧力になれば封板１４が破れ、粉末消火薬剤Ａが消火薬剤放出管９及び消火器ホース３を経てノズル４から放射される。
【００１５】
上記構成の加圧式粉末消火器において、本発明は、図２に示すように、消火薬剤放出管９の下端部の外面に、封板取付具１５の正規なはめ込み深さ位置を指示する注意書きや指示マークなどのはめ込み深さ表示部１６を設けていることに特徴を有する。
図３に示すように、封板取付具１５はゴムや合成樹脂などで厚肉筒状に形成された取付具本体１７の上端面の中央に、消火薬剤放出管９の外径とほぼ同一径の内径をもち且つ所定深さのはめ込み口１８を開口するとともに、下端面の中央に消火薬剤導入口１９をはめ込み口１８の内周面下端から径方向内方に張出された環状突壁２１を介して連通するよう同心状に開口する。環状突壁２１は消火薬剤放出管９の内径とほぼ同一の孔径の連通孔２２を有するとともに、その上端面に消火薬剤放出管９の最下端を受止める段部２０を形成している。そして環状突壁２１の内周面下端と消火薬剤導入口１９の内周面上端とを上方狭まり斜面壁２３でつないだ形に形成している。
【００１６】
封板取付具１５に内蔵した封板１４は薄い樹脂フィルム等からなって、加圧ガスによりタンク本体１内が所定圧に加圧されたときに該タンク内圧で初めて破れる強度のものが使用され、消火薬剤導入口１９内に設けた環状溝２４内に保持リング２５を介して消火薬剤導入口１９を塞ぐようはめ込み固定される。
【００１７】
しかるときは、本消火器の組立て時や、粉末消火薬剤Ａの再充填時あるいは定期的な点検整備時にその取替えを行う時に、消火薬剤放出管９の下端部に対し封板取付具１５がはめ込まれるが、このとき図３に示すごとく封板取付具１５の上端面がはめ込み深さ表示部１６に合致するまで封板取付具１５のはめ込み口１８を消火薬剤放出管９の下端部にはめ込む。すると封板取付具１５が段部２０上で消火薬剤放出管９の最下端を受止める所定深さにはめ込まれる状態が得られる。
【００１８】
このように、消火薬剤放出管９の下端部の外面にはめ込み深さ表示部１６が表示されているため、封板取付具１５をはめ込み深さ表示部１６の位置にまではめ込むことを促すことができる。また封板取付具１５が所定深さ位置にまで完全にはめ込まれているか否かを容易に確認することができる。したがって、封板取付具１５はこれの最下端１５ａが本体容器１の内底１ａから５〜１０ｍｍの高さｈになるように装着することができ、消火薬剤放出管９への粉末消火薬剤Ａの円滑な流動を確保し得るし、また放射終了後の粉末消火薬剤Ａの残存量をできる限り少なくして放射効率を上げることができる。
【００１９】
図４に比較例の封板取付具３０を示すように、環状突壁３１の下端面と消火薬剤導入口３２の内周面上端とが交わる角に入隅３３が形成されていると、消火薬剤放出管９の下端部に対し封板取付具３０が強い押込み力ではめ込まれたとき環状突壁３１が消火薬剤放出管９の最下端による強い押圧接当作用を受けて図４中に破線Ｆで示すごとく変形し易い。これに対し、図３のように環状突壁２１の内周面下端と消火薬剤導入口１９の内周面上端とを上方狭まり斜面壁２２でつないだ形に形成してあると、消火薬剤放出管９の下端部に対し封板取付具１５が強い押圧力ではめ込まれても環状突壁２１が変形するようなことが少なくなる。したがって、環状突壁２１により封板取付具１５の所定はめ込み深さ位置が確実に規制されるため、封板取付具１５のはめ込み過ぎにより封板１４が消火薬剤放出管９の最下端で突き破られるような危惧がない。また粉末消火薬剤Ａが上方狭まり斜面壁２２に沿ってスムーズに消火薬剤放出管９内へ流れ込み易くなる。
【００２０】
上記封板取付具１５は通常ゴム製で黒色であるため、これとは識別しやすくするために黒色とは異なる色彩、たとえば白色を施す。これにより本消火器に適合する封板取付具１５が一目で選びやすくなり、点検整備者らにより既設の封板取付具１５とは異なる他種のものと取替えられるのを予防できる。したがって、本消火器に適合しない他種の封板取付具を使用して取り替えられることによる不測の事態、すなわち消火薬剤の放射不能や放射終了後の薬剤残存量の増大による放射効率の低下を招くのを防止できる。また、封板取付具１５に黒色とは異なる色彩を施すに代えて社名、記号等の識別表示を施すか、または黒色とは異なる色彩を施すとともに社名、記号等の識別表示をも施すことによっても同様に既設の封板取付具１５とは異種のものと取替えられるのを予防できる。
【００２１】
【発明の効果】
本発明によれば、消火薬剤放出管の下端部に対する封板取付具の正規な深さ位置にまでのはめ込みを確保することができ、また不適切な封板取付具の装着防止の実現を図れて有利である。
【図面の簡単な説明】
【図１】  加圧式粉末消火器の縦断正面図である。
【図２】  消火薬剤放出管の下端部に封板取付具をはめ込む前の状態を示す正面図である。
【図３】  消火薬剤放出管の下端部に封板取付具をはめ込んだ状態を示す断面図である。
【図４】  比較例の封板取付具を消火薬剤放出管の下端部にはめ込んだ状態で示す断面図である。
【符号の説明】
１  本体容器
３  消火器ホース
５  加圧用ガス容器
９  消火薬剤放出管
１４  封板
１５  封板取付具
１６  はめ込み深さ表示部
１８  はめ込み口
１９  消火薬剤導入口
２０  段部
２１  環状突壁
２３  上方狭まり斜面壁
【図１】
0004798556.tif 000002
【図２】
0004798556.tif 000003
【図３】
0004798556.tif 000004
【図４】
0004798556.tif 000005